(57)【要約】  本開示はデータ伝送方法、装置、デバイス、システム及び記憶媒体に関し、通信技術分野に属する。前記方法は、送信対象のデータに基づいて、それぞれ前記データ内の一部のデータを含むｍ個の伝送ブロックＴＢ（ｍ≧２）を生成するステップと、時間領域において各ＴＢの関連する伝送内容をｎ個の伝送ユニット（ｎ≧２）に分割するステップと、時間領域において各ＴＢに関わるｎ個の伝送ユニットを交互に受信側へ送信するステップであって、時間領域における前記ｎ個の伝送ユニットの伝送は分散しているステップと、を含む。本開示はまず各ＴＢの関連する伝送内容をｎ個の伝送ユニットに分割して、各ＴＢに関わるｎ個の伝送ユニットを交互に送信することによって、時間領域において当該ｎ個の伝送ユニットの分散伝送を実現し、このようにして、ｎ個の伝送ユニットを集中的に伝送する際にチャネル状態が安定でないため、当該ＴＢ内のすべてのデータが正確に受信できないという問題を回避し、データ伝送の精度を向上させる。【選択図】図４
2022500927.tif 000002
【特許請求の範囲】
【請求項１】
データ伝送方法であって、送信側に用いられ、前記方法は、
送信対象のデータに基づいて、それぞれ前記データ内の一部のデータを含むｍ個の伝送ブロックＴＢ（ｍ≧２）を生成するステップと、
時間領域において前記各ＴＢの関連する伝送内容をｎ個の伝送ユニット（ｎ≧２）に分割するステップと、
時間領域において前記各ＴＢに関連するｎ個の伝送ユニットを交互に受信側へ送信するステップであって、時間領域における前記ｎ個の伝送ユニットの伝送は分散しているステップと、を含む、
ことを特徴とするデータ伝送方法。
【請求項２】
前記送信側において予め設定された第１の情報に基づいて前記伝送ユニットを決定するステップ、又は、
予め設定された第１のルールに基づいて前記伝送ユニットを計算するステップ、又は、
前記送信側が端末である場合、アクセスネットワーク機器によって送信された第１のシグナリングを受信し、前記第１のシグナリングに基づいて前記伝送ユニットを決定するステップ、をさらに含む、
ことを特徴とする請求項１に記載の方法。
【請求項３】
前記各ＴＢをｉ個のサブＴＢに分割する場合、前記伝送ユニットは１つのサブＴＢを含み、ｉ≧２、
ことを特徴とする請求項１に記載の方法。
【請求項４】
前記ｍ個のＴＢを繰り返して伝送せず、かつ毎回の交互伝送周期に関わるＴＢの数がｓである場合、
２≦ｓ＜ｍの時、第ｖ回の交互伝送周期はｓ個のサブＴＢを含み、前記ｓ個のサブＴＢはｓ個のＴＢのうち各ＴＢによって分割された第ｖ個のサブＴＢであり、前記ｓ個のＴＢは前記ｍ個のＴＢでの送信されていないＴＢであり、
ｓ＝ｍの時、第ｖ回の交互伝送周期はｓ個のサブＴＢを含み、前記ｓ個のサブＴＢは前記ｍ個のＴＢのうち各ＴＢによって分割された第ｖ個のサブＴＢであり、
ここで、１≦ｖ≦ｉ、
ことを特徴とする請求項３に記載の方法。
【請求項５】
前記ｍ個のＴＢの繰り返し回数がｊであり、且つ毎回の交互伝送周期に関わるＴＢの数がｓである場合、繰り返してｋ回目に伝送されたｓ個のＴＢに対して、前記ｓ個のＴＢは前記ｍ個のＴＢでの送信されていないＴＢであり、
２≦ｓ＜ｍの時、第ｖ回の交互伝送周期はｓ個のサブＴＢを含み、前記ｓ個のサブＴＢは前記ｓ個のＴＢのうち各ＴＢによって分割された第ｖ個のサブＴＢであり、
ｓ＝ｍの時、第ｖ回の交互伝送周期はｓ個のサブＴＢを含み、前記ｓ個のサブＴＢは前記ｍ個のＴＢのうち各ＴＢによって分割された第ｖ個のサブＴＢであり、
ここで、ｊ≧２、１≦ｋ≦ｊ、１≦ｖ≦ｉ、
ことを特徴とする請求項３に記載の方法。
【請求項６】
前記各ＴＢをｉ個のサブＴＢに分割し、且つ前記各ＴＢの繰り返し回数がｊである場合、前記伝送ユニットは１つのサブＴＢグループを含み、前記サブＴＢグループは繰り返してｋ回伝送された同じサブＴＢを含み、ｉ≧２、ｊ≧２、２≦ｋ≦ｊ、
ことを特徴とする請求項１に記載の方法。
【請求項７】
毎回の交互伝送周期に関わるＴＢグループの数がｓであり、前記ＴＢグループがｋ回繰り返して伝送された同じＴＢを含む場合、繰り返してｐ回目に伝送されたｓ個のＴＢグループに対して、前記ｓ個のＴＢグループはｍ個のＴＢグループでの送信されていないＴＢグループであり、
２≦ｓ＜ｍの時、第ｖ回の交互伝送周期はｓ個のサブＴＢグループを含み、前記ｓ個のサブＴＢグループは前記ｓ個のＴＢグループのうち各ＴＢグループによって分割された第ｖ個のサブＴＢグループであり、
ｓ＝ｍの時、第ｖ回の交互伝送周期はｓ個のサブＴＢグループを含み、前記ｓ個のサブＴＢグループは前記ｍ個のＴＢグループのうち各ＴＢグループによって分割された第ｖ個のサブＴＢグループであり、
ここで、１≦ｐ≦ｊ／ｋ、１≦ｖ≦ｉ、
ことを特徴とする請求項６に記載の方法。
【請求項８】
前記各ＴＢの繰り返し回数がｊである場合、前記伝送ユニットは１つのＴＢを含み、ｊ≧２、
ことを特徴とする請求項１に記載の方法。
【請求項９】
毎回の交互伝送周期に関わるＴＢの数がｓである場合、
２≦ｓ＜ｍの時、第ｖ回の交互伝送周期はｓ個のＴＢを含み、前記ｓ個のＴＢは前記ｍ個のＴＢでの送信されていないＴＢであり、
ｓ＝ｍの時、第ｖ回の交互伝送周期に含まれるｓ個のＴＢは前記ｍ個のＴＢであり、
ここで、１≦ｖ≦ｊ、
ことを特徴とする請求項８に記載の方法。
【請求項１０】
前記各ＴＢの繰り返し回数がｊである場合、前記伝送ユニットは１つのＴＢグループを含み、前記ＴＢグループはｋ回繰り返して伝送された同じＴＢを含み、ｊ≧２、２≦ｋ≦ｊ、
ことを特徴とする請求項１に記載の方法。
【請求項１１】
毎回の交互伝送周期に関わるＴＢグループの数がｓである場合、
２≦ｓ＜ｍの時、第ｖ回の交互伝送周期はｓ個のＴＢグループを含み、前記ｓ個のＴＢグループは前記ｍ個のＴＢグループの送信されていないＴＢグループであり、
ｓ＝ｍの時、第ｖ回の交互伝送周期に含まれるｓ個のＴＢグループは前記ｍ個のＴＢグループであり、
ここで、１≦ｖ≦ｊ／ｋ、
ことを特徴とする請求項１０に記載の方法。
【請求項１２】
前記送信側において予め設定された第２の情報に基づいて前記ｓを決定するステップ、又は、
予め設定された第２のルールに基づいて前記ｓを計算するステップ、又は、
前記送信側が端末である場合、アクセスネットワーク機器によって送信された第２のシグナリングを受信し、前記第２のシグナリングに基づいて前記ｓを決定するステップ、をさらに含む、
ことを特徴とする請求項４又は５又は７又は９又は１１に記載の方法。
【請求項１３】
データ伝送方法であって、受信側に用いられ、前記方法は、
送信側によって交互に送信された各伝送ブロックＴＢに関わるｎ個の伝送ユニットを時間領域において受信するステップであって、時間領域における前記ｎ個の伝送ユニットの伝送は分散しており、前記ｎ個の伝送ユニットは前記送信側が送信対象のデータに基づいてｍ個のＴＢを生成して、時間領域において各ＴＢの関連する伝送内容を分割して得られるものであり、前記各ＴＢは前記データ内の一部のデータを含み、かつｍ≧２、ｎ≧２であるステップと、
前記各ＴＢに関わるｎ個の伝送ユニットを組み合わせて前記データを得るステップと、を含む、
ことを特徴とするデータ伝送方法。
【請求項１４】
前記受信側において予め設定された第１の情報に基づいて前記伝送ユニットを決定するステップ、又は
予め設定された第１のルールに基づいて前記伝送ユニットを計算するステップ、又は、
前記受信側が端末である場合、アクセスネットワーク機器によって送信された第１のシグナリングを受信し、前記第１のシグナリングに基づいて前記伝送ユニットを決定するステップ、をさらに含む、
ことを特徴とする請求項１３に記載の方法。
【請求項１５】
前記各ＴＢをｉ個のサブＴＢに分割する場合、前記伝送ユニットは１つのサブＴＢを含み、かつｉ≧２、
ことを特徴とする請求項１３に記載の方法。
【請求項１６】
前記ｍ個のＴＢを繰り返して伝送せず、かつ毎回の交互伝送周期に関わるＴＢの数がｓである場合、
２≦ｓ＜ｍの時、第ｖ回の交互伝送周期はｓ個のサブＴＢを含み、前記ｓ個のサブＴＢはｓ個のＴＢのうち各ＴＢによって分割された第ｖ個のサブＴＢであり、前記ｓ個のＴＢは前記ｍ個のＴＢでの送信されていないＴＢであり、
ｓ＝ｍの時、第ｖ回の交互伝送周期はｓ個のサブＴＢを含み、前記ｓ個のサブＴＢは前記ｍ個のＴＢのうち各ＴＢによって分割された第ｖ個のサブＴＢであり、
ここで、１≦ｖ≦ｉ、
ことを特徴とする請求項１５に記載の方法。
【請求項１７】
前記ｍ個のＴＢの繰り返し回数がｊであり、且つ毎回の交互伝送周期に関わるＴＢの数がｓである場合、繰り返してｋ回目に伝送されたｓ個のＴＢに対して、前記ｓ個のＴＢは前記ｍ個のＴＢでの送信されていないＴＢであり、
２≦ｓ＜ｍの時、第ｖ回の交互伝送周期はｓ個のサブＴＢを含み、前記ｓ個のサブＴＢは前記ｓ個のＴＢのうち各ＴＢによって分割された第ｖ個のサブＴＢであり、
ｓ＝ｍの時、第ｖ回の交互伝送周期はｓ個のサブＴＢを含み、前記ｓ個のサブＴＢは前記ｍ個のＴＢのうち各ＴＢによって分割された第ｖ個のサブＴＢであり、
ここで、ｊ≧２、１≦ｋ≦ｊ、１≦ｖ≦ｉ、
ことを特徴とする請求項１５に記載の方法。
【請求項１８】
前記各ＴＢをｉ個のサブＴＢに分割し、且つ前記各ＴＢの繰り返し回数がｊである場合、前記伝送ユニットは１つのサブＴＢグループを含み、前記サブＴＢグループは繰り返してｋ回伝送された同じサブＴＢを含み、ｉ≧２、ｊ≧２、２≦ｋ≦ｊ、
ことを特徴とする請求項１３に記載の方法。
【請求項１９】
毎回の交互伝送周期に関わるＴＢグループの数がｓであり、前記ＴＢグループがｋ回繰り返して伝送された同じＴＢを含む場合、繰り返してｐ回目に伝送されたｓ個のＴＢグループに対して、前記ｓ個のＴＢグループはｍ個のＴＢグループでの送信されていないＴＢグループであり、
２≦ｓ＜ｍの時、第ｖ回の交互伝送周期はｓ個のサブＴＢグループを含み、前記ｓ個のサブＴＢグループは前記ｓ個のＴＢグループのうち各ＴＢグループによって分割された第ｖ個のサブＴＢグループであり、
ｓ＝ｍの時、第ｖ回の交互伝送周期はｓ個のサブＴＢグループを含み、前記ｓ個のサブＴＢグループは前記ｍ個のＴＢグループのうち各ＴＢグループによって分割された第ｖ個のサブＴＢグループであり、
ここで、１≦ｐ≦ｊ／ｋ、１≦ｖ≦ｉ、
ことを特徴とする請求項１８に記載の方法。
【請求項２０】
前記各ＴＢの繰り返し回数がｊである場合、前記伝送ユニットは１つのＴＢを含み、ｊ≧２、
ことを特徴とする請求項１３に記載の方法。
【請求項２１】
毎回の交互伝送周期に関わるＴＢの数がｓである場合、
２≦ｓ＜ｍの時、第ｖ回の交互伝送周期はｓ個のＴＢを含み、前記ｓ個のＴＢは前記ｍ個のＴＢでの送信されていないＴＢであり、
ｓ＝ｍの時、第ｖ回の交互伝送周期に含まれるｓ個のＴＢは前記ｍ個のＴＢであり、
ここで、１≦ｖ≦ｊ、
ことを特徴とする請求項２０に記載の方法。
【請求項２２】
前記各ＴＢの繰り返し回数がｊである場合、前記伝送ユニットは１つのＴＢグループを含み、前記ＴＢグループはｋ回繰り返して伝送された同じＴＢを含み、ｊ≧２、２≦ｋ≦ｊ、
ことを特徴とする請求項１３に記載の方法。
【請求項２３】
毎回の交互伝送周期に関わるＴＢグループの数がｓである場合、
２≦ｓ＜ｍの時、第ｖ回の交互伝送周期はｓ個のＴＢグループを含み、前記ｓ個のＴＢグループは前記ｍ個のＴＢグループの送信されていないＴＢグループであり、
ｓ＝ｍの時、第ｖ回の交互伝送周期に含まれるｓ個のＴＢグループは前記ｍ個のＴＢグループであり、
ここで、１≦ｖ≦ｊ／ｋ、
ことを特徴とする請求項２２に記載の方法。
【請求項２４】
前記受信側において予め設定された第２の情報に基づいて前記ｓを決定するステップ、又は、
予め設定された第２のルールに基づいて前記ｓを計算するステップ、又は、
前記受信側が端末である場合、アクセスネットワーク機器によって送信された第２のシグナリングを受信し、前記第２のシグナリングに基づいて前記ｓを決定するステップ、をさらに含む、
ことを特徴とする請求項１６又は１７又は１９又は２１又は２３に記載の方法。
【請求項２５】
データ伝送装置であって、前記装置は、
送信対象のデータに基づいて、それぞれ前記データ内の一部のデータを含むｍ個の伝送ブロックＴＢ（ｍ≧２）を生成するように構成される生成モジュールと、
時間領域において前記各ＴＢの関連する伝送内容をｎ個の伝送ユニット（ｎ≧２）に分割するように構成される分割モジュールと、
時間領域において前記各ＴＢに関連するｎ個の伝送ユニットを交互に受信側へ送信するように構成される送信モジュールであって、時間領域における前記ｎ個の伝送ユニットの伝送は分散している送信モジュールと、を含む、
ことを特徴とするデータ伝送装置。
【請求項２６】
データ伝送装置であって、前記装置は、
送信側によって交互に送信された各伝送ブロックＴＢに関わるｎ個の伝送ユニットを時間領域において受信するように構成される受信モジュールであって、時間領域における前記ｎ個の伝送ユニットの伝送は分散しており、前記ｎ個の伝送ユニットは前記送信側が送信対象のデータに基づいてｍ個のＴＢを生成して、時間領域において各ＴＢの関連する伝送内容を分割して得られるものであり、前記各ＴＢは前記データ内の一部のデータを含み、ｍ≧２、ｎ≧２の受信モジュールと、
前記各ＴＢに関わるｎ個の伝送ユニットを組み合わせて前記データを得るように構成される組み合わせモジュールと、を含む、
ことを特徴とするデータ伝送装置。
【請求項２７】
送信側であって、前記送信側は、
プロセッサと、
プロセッサによって実行可能な命令を記憶するためのメモリと、を含み、
前記プロセッサは、
送信対象のデータに基づいて、それぞれ前記データ内の一部のデータを含むｍ個の伝送ブロックＴＢ（ｍ≧２）を生成し、
時間領域において前記各ＴＢの関連する伝送内容をｎ個の伝送ユニット（ｎ≧２）に分割し、
時間領域において前記各ＴＢに関連するｎ個の伝送ユニットを交互に受信側へ送信するように構成され、時間領域における前記ｎ個の伝送ユニットの伝送は分散している、
ことを特徴とする送信側。
【請求項２８】
受信側であって、前記受信側は、
プロセッサと、
プロセッサによって実行可能な命令を記憶するためのメモリと、を含み、
前記プロセッサは、
送信側によって交互に送信された各伝送ブロックＴＢに関わるｎ個の伝送ユニットを時間領域において受信し、時間領域における前記ｎ個の伝送ユニットの伝送は分散しており、前記ｎ個の伝送ユニットは前記送信側が送信対象のデータに基づいてｍ個のＴＢを生成して、時間領域において各ＴＢの関連する伝送内容を分割して得られるものであり、前記各ＴＢは前記データ内の一部のデータを含み、ｍ≧２、ｎ≧２、
前記各ＴＢに関わるｎ個の伝送ユニットを組み合わせて前記データを得るように構成される、
ことを特徴とする受信側。
【請求項２９】
データ伝送システムであって、
前記データ伝送システムは請求項２５に記載のデータ伝送装置及び請求項２６に記載のデータ伝送装置を含み、又は、前記データ伝送システムは請求項２７に記載の送信側及び請求項２８に記載の受信側を含む、
ことを特徴とするデータ伝送システム。
【請求項３０】
コンピュータ読み取り可能な記憶媒体であって、前記記憶媒体には少なくとも１つの命令、少なくとも１つのプログラム、コードセット又は命令セットが記憶されており、前記少なくとも１つの命令、前記少なくとも１つのプログラム、前記コードセット又は命令セットは、請求項１乃至１２のいずれか一項に記載のデータ伝送方法を実現するように、前記プロセッサによってロードされかつ実行され、又は、前記少なくとも１つの命令、前記少なくとも１つのプログラム、前記コードセット又は命令セットは、請求項１３乃至２４のいずれか一項に記載のデータ伝送方法を実現するように、前記プロセッサによってロードされかつ実行される、
ことを特徴とするコンピュータ読み取り可能な記憶媒体。
【発明の詳細な説明】
【技術分野】
【０００１】
本開示は通信技術分野に関し、特にデータ伝送方法、装置、デバイス、システム及び記憶媒体に関する。
【背景技術】
【０００２】
ＭＴＣ（Ｍａｃｈｉｎｅ  Ｔｙｐｅ  Ｃｏｍｍｕｎｉｃａｔｉｏｎ、マシン通信）及びＮＢ−ＩｏＴ（Ｎａｒｒｏｗ  Ｂａｎｄ  Ｉｎｔｅｒｎｅｔ  ｏｆ  Ｔｈｉｎｇ、狭帯域モノのインターネット）はセルラーモノのインターネットの典型的な代表であり、すでに幅広く応用されている。
【０００３】
ＭＴＣ及びＮＢ−ＩｏＴ内の端末はいずれもＰＤＣＣＨ（Ｐｈｙｓｉｃａｌ  Ｄｏｗｎｌｉｎｋ  Ｃｏｎｔｒｏｌ  Ｃｈａｎｎｅｌ、物理ダウンリンク制御チャネル）をブラインド検出する必要があり、１つのＰＤＣＣＨによって１つのＰＤＳＣＨ（Ｐｈｙｓｉｃａｌ  Ｄｏｗｎｌｉｎｋ  Ｓｈａｒｅｄ  Ｃｈａｎｎｅｌ、物理ダウンリンク共有チャネル）又は１つのＰＵＳＣＨ（Ｐｈｙｓｉｃａｌ  Ｕｐｌｉｎｋ  Ｓｈａｒｅｄ  Ｃｈａｎｎｅｌ、物理アップリンク共有チャネル）をスケジュールする。１つのＰＤＳＣＨに１つのダウンリンクＴＢ（Ｔｒａｎｓｍｉｓｓｉｏｎ  Ｂｌｏｃｋ、伝送ブロック）がキャリアされ、１つのＰＵＳＣＨに１つのアップリンクＴＢがキャリアされるため、１つのＰＤＣＣＨによって１つのアップリンクＴＢ又は１つのダウンリンクＴＢをスケジュールすると理解してもよい。伝送対象のデータに基づいて少なくとも２つのＴＢを生成する場合、１つのＰＤＣＣＨが１つのＴＢをスケジュールするため、これらのＴＢを伝送する際のチャネル状態が類似する、即ち毎回スケジュールされるＰＤＣＣＨが類似するにもかかわらず、端末は毎回スケジュールされるＰＤＣＣＨを復調する必要があり、したがって端末の電力を消費する。
【０００４】
電力消費を節約するために、アクセスネットワーク機器は１つのＰＤＣＣＨを介して複数のアップリンクＴＢ又は複数のダウンリンクＴＢを連続してスケジュールしてもよい。即ち、伝送対象のデータに基づいて少なくとも２つのＴＢを生成する場合、当該少なくとも２つのＴＢのうちの各ＴＢを順次伝送する。チャネル状態が不安定であるため、特定のＴＢを伝送する際にチャネル状態が不安定であれば、当該ＴＢ内のすべてのデータが正確に受信できないという状況を引き起こし、したがってデータ伝送の精度に影響を及ぼす。
【発明の概要】
【発明が解決しようとする課題】
【０００５】
関連技術における問題を解決するために、本開示はデータ伝送方法、装置、デバイス、システム及び記憶媒体を提供する。
【課題を解決するための手段】
【０００６】
本開示の実施例の第１の態様によると、送信側に用いられるデータ伝送方法を提供し、前記方法は、
送信対象のデータに基づいて、それぞれ前記データ内の一部のデータを含むｍ個の伝送ブロックＴＢ（ｍ≧２）を生成するステップと、
時間領域において前記各ＴＢの関連する伝送内容をｎ個の伝送ユニット（ｎ≧２）に分割するステップと、
時間領域において前記各ＴＢに関連するｎ個の伝送ユニットを交互に受信側へ送信するステップであって、時間領域における前記ｎ個の伝送ユニットの伝送は分散しているステップと、を含む。
【０００７】
本開示の実施例の第２の態様によれば、受信側に用いられるデータ伝送方法を提供し、前記方法は、
送信側によって交互に送信された各伝送ブロックＴＢに関わるｎ個の伝送ユニットを時間領域において受信するステップであって、時間領域における前記ｎ個の伝送ユニットの伝送は分散しており、前記ｎ個の伝送ユニットは前記送信側が送信対象のデータに基づいてｍ個のＴＢを生成して、時間領域において各ＴＢの関連する伝送内容を分割して得られるものであり、前記各ＴＢは前記データ内の一部のデータを含み、ｍ≧２、ｎ≧２ステップと、
前記各ＴＢに関わるｎ個の伝送ユニットを組み合わせて前記データを得るステップと、を含む。
【０００８】
本開示の実施例の第３の態様によると、送信側に用いられるデータ伝送装置を提供し、前記装置は、
送信対象のデータに基づいて、それぞれ前記データ内の一部のデータを含むｍ個の伝送ブロックＴＢ（ｍ≧２）を生成するように構成される生成モジュールと、
時間領域において前記各ＴＢの関連する伝送内容をｎ個の伝送ユニット（ｎ≧２）に分割するように構成される分割モジュールと、
時間領域において前記各ＴＢに関連するｎ個の伝送ユニットを交互に受信側へ送信するように構成される送信モジュールであって、時間領域における前記ｎ個の伝送ユニットの伝送は分散している送信モジュールと、を含む。
【０００９】
本開示の実施例の第４の態様によれば、受信側に用いられるデータ伝送装置を提供し、前記装置は、
送信側によって交互に送信された各伝送ブロックＴＢに関わるｎ個の伝送ユニットを時間領域において受信するように構成される受信モジュールであって、時間領域における前記ｎ個の伝送ユニットの伝送は分散しており、前記ｎ個の伝送ユニットは前記送信側が送信対象のデータに基づいてｍ個のＴＢを生成して、時間領域において各ＴＢの関連する伝送内容を分割して得られるものであり、前記各ＴＢは前記データ内の一部のデータを含み、ｍ≧２、ｎ≧２の受信モジュールと、
前記各ＴＢに関わるｎ個の伝送ユニットを組み合わせて前記データを得るように構成される組み合わせモジュールと、を含む。
【００１０】
本開示の実施例の第５の態様によると、送信側を提供し、前記送信側は、
プロセッサと、
プロセッサによって実行可能な命令を記憶するためのメモリと、を含み、
前記プロセッサは、
送信対象のデータに基づいて、それぞれ前記データ内の一部のデータを含むｍ個の伝送ブロックＴＢ（ｍ≧２）を生成し、
時間領域において前記各ＴＢの関連する伝送内容をｎ個の伝送ユニット（ｎ≧２）に分割し、
時間領域において前記各ＴＢに関連するｎ個の伝送ユニットを交互に受信側へ送信するように構成され、時間領域における前記ｎ個の伝送ユニットの伝送は分散している。
【００１１】
本開示の実施例の第６の態様によれば、受信側を提供し、前記受信側は、
プロセッサと、
プロセッサによって実行可能な命令を記憶するためのメモリと、を含み、
前記プロセッサは、
送信側によって交互に送信された各伝送ブロックＴＢに関わるｎ個の伝送ユニットを時間領域において受信し、時間領域における前記ｎ個の伝送ユニットの伝送は分散しており、前記ｎ個の伝送ユニットは前記送信側が送信対象のデータに基づいてｍ個のＴＢを生成して、時間領域において各ＴＢの関連する伝送内容を分割して得られるものであり、前記各ＴＢは前記データ内の一部のデータを含み、ｍ≧２、ｎ≧２、
前記各ＴＢに関わるｎ個の伝送ユニットを組み合わせて前記データを得るように構成される。
【００１２】
本開示の実施例の第７の態様によれば、データ伝送システムを提供し、上記第３の態様のいずれかに記載のデータ伝送装置及び上記第４の態様のいずれかに記載のデータ伝送装置を含み、又は、上記第５の態様のいずれかに記載の送信側及び上記第６の態様のいずれかに記載の受信側を含む。
【００１３】
本開示の実施例の第８の態様によると、コンピュータ読み取り可能な記憶媒体を提供し、前記記憶媒体には少なくとも１つの命令、少なくとも１つのプログラム、コードセット又は命令セットが記憶されており、前記少なくとも１つの命令、前記少なくとも１つのプログラム、前記コードセット又は命令セットは、第１の態様に記載のようなデータ伝送方法を実現するように、前記プロセッサによってロードされかつ実行され、又は、前記少なくとも１つの命令、前記少なくとも１つのプログラム、前記コードセット又は命令セットは、第２の態様に記載のようなデータ伝送方法を実現するように、前記プロセッサによってロードされかつ実行される。
【発明の効果】
【００１４】
本開示の実施例によって提供された技術案は以下の有益な効果を含むことができる。
【００１５】
各ＴＢの関連する伝送内容をｎ個の伝送ユニットに分割して、各ＴＢに関わるｎ個の伝送ユニットを交互に送信することによって、時間領域において当該ｎ個の伝送ユニットの分散伝送を実現する。このように、１つのＴＢに関わるｎ個の伝送ユニットに対して、その中の一部の伝送ユニットを伝送する際にチャネル状態が悪くても、この際に伝送されるこの部分の伝送ユニットのみに影響し、他の時刻に伝送される他の伝送ユニットに影響を及ぼすことはない。それによって、伝送ｎ個の伝送ユニットを集中的に伝送する際にチャネル状態が安定でなく、当該ＴＢ内のすべてのデータが正確に受信できないという課題を回避し、したがってデータ伝送の精度を向上させることができる。
【００１６】
なお、以上の一般的な説明と以下の詳細な説明は例示的なものに過ぎず、本開示を限定するものではないことを理解されたい。
【図面の簡単な説明】
【００１７】
ここでの図面は明細書に組み込まれて本開示の明細書の一部となり、本開示に一致する実施例を示すと同時に、明細書とともに本開示の原理への説明に用いられる。
【図１】１つのＰＤＣＣＨが４つのＴＢを連続してスケジュールする概略図である。
【図２】１つのＰＤＣＣＨが、繰り返し回数が４である４つのＴＢを連続してスケジュールする概略図である。
【図３】本開示の各実施例に関わる移動通信システムの概略図である。
【図４】例示的な一実施例によって示されるデータ伝送方法に係るフローチャートである。
【図５】例示的な一実施例によって示されるデータ伝送方法に係るフローチャートである。
【図６】例示的な一実施例によって示される伝送ユニット分割に係る概略図である。
【図７】例示的な一実施例によって示される伝送ユニット分割に係る概略図である。
【図８】例示的な一実施例によって示される伝送ユニット分割に係る概略図である。
【図９】例示的な一実施例によって示される伝送ユニット分割に係る概略図である。
【図１０】例示的な一実施例によって示される伝送ユニット分割に係る概略図である。
【図１１】例示的な一実施例によって示される交替伝送に係る概略図である。
【図１２】例示的な一実施例によって示される交替伝送に係る概略図である。
【図１３】例示的な一実施例によって示される交替伝送に係る概略図である。
【図１４】例示的な一実施例によって示される交替伝送に係る概略図である。
【図１５】例示的な一実施例によって示される交替伝送に係る概略図である。
【図１６】例示的な一実施例によって示される交替伝送に係る概略図である。
【図１７】例示的な一実施例によって示される交替伝送に係る概略図である。
【図１８】例示的な一実施例によって示される交替伝送に係る概略図である。
【図１９】例示的な一実施例によって示される交替伝送に係る概略図である。
【図２０】例示的な一実施例によって示される交替伝送に係る概略図である。
【図２１】例示的な一実施例によって示されるデータ伝送装置に係るブロック図である。
【図２２】例示的な一実施例によって示されるデータ伝送装置に係るブロック図である。
【図２３】例示的な一実施例によって示されるデータ伝送用の装置に係るブロック図である。
【図２４】例示的な一実施例によって示されるデータ伝送装置に係るブロック図である。
【図２５】例示的な一実施例によって示されるデータ伝送システムに係るブロック図である。
【発明を実施するための形態】
【００１８】
ここで例示的な実施例を詳しく説明し、その例示は図面に示される。次の説明は図面に関わると、別途明記されていない限り、異なる図面での同じ数字は同じ又は類似する要素を表す。以下の例示的な実施例で説明された実施形態は本開示と一致するすべての実施形態を表すものではない。むしろ、それらは特許請求の範囲で詳述された、本開示の一部の態様に一致する装置及び方法の例に過ぎない。
【００１９】
ＭＴＣ及びＮＢ−ＩｏＴはほとんどデータ収集などのシーンに適用され、例えば、スマートシティ分野での検針のシーン、スマート農業分野での温湿度情報収集のシーン、スマート交通分野のシェアサイクルのシーンなどである。
【００２０】
ＬＴＥ（Ｌｏｎｇ  Ｔｅｒｍ  Ｅｖｏｌｕｔｉｏｎ、長期的な進化）のｒｅｌｅａｓｅ１３にてＭＴＣ及びＮＢ−ＩｏＴの基本的なフレームワークが生成されている。ＬＴＥのスケジュールと同様に、ＭＴＣ内の１つのＭＰＤＣＣＨ（ＭＴＣ  Ｐｈｙｓｉｃａｌ  Ｄｏｗｎｌｉｎｋ  Ｃｏｎｔｒｏｌ  Ｃｈａｎｎｅｌ、ＭＴＣ物理ダウンリンク制御チャネル）が１つのＭＰＤＳＣＨ（ＭＴＣ  Ｐｈｙｓｉｃａｌ  Ｄｏｗｎｌｉｎｋ  Ｓｈａｒｅｄ  Ｃｈａｎｎｅｌ、ＭＴＣ物理ダウンリンク共有チャネル）又は１つのＭＰＵＳＣＨ（ＭＴＣ  Ｐｈｙｓｉｃａｌ  Ｕｐｌｉｎｋ  Ｓｈａｒｅｄ  Ｃｈａｎｎｅｌ、ＭＴＣ物理アップリンク共有チャネル）をスケジュールし、ＮＢ−ＩｏＴ内の１つのＮＢＰＤＣＣＨ（ＮＢ−ＩｏＴ  Ｐｈｙｓｉｃａｌ  Ｄｏｗｎｌｉｎｋ  Ｃｏｎｔｒｏｌ  Ｃｈａｎｎｅｌ、ＮＢ−ＩｏＴ物理ダウンリンク制御チャネル  ）が１つのＮＢＰＤＳＣＨ（ＮＢ−ＩｏＴ  Ｐｈｙｓｉｃａｌ  Ｄｏｗｎｌｉｎｋ  Ｓｈａｒｅｄ  Ｃｈａｎｎｅｌ、ＮＢ−ＩｏＴ物理ダウンリンク共有チャネル）又は１つのＮＢＰＵＳＣＨ（ＮＢ−ＩｏＴ  Ｐｈｙｓｉｃａｌ  Ｕｐｌｉｎｋ  Ｓｈａｒｅｄ  Ｃｈａｎｎｅｌ、ＮＢ−ＩｏＴ物理アップリンク共有チャネル）をスケジュールする。即ち、１つのＭＰＤＣＣＨが１つのアップリンクＴＢ又は１つのダウンリンクＴＢをスケジュールし、１つのＮＢＰＤＣＣＨが１つのアップリンクＴＢ又は１つのダウンリンクＴＢをスケジュールする。
【００２１】
ＭＴＣ及びＮＢ−ＩｏＴはほとんど野外、地下室など、充電しにくい又は電池の交換が困難である場所に配置されているため、ＭＴＣ及びＮＢ−ＩｏＴの消費電力を節約してＭＴＣ及びＮＢ−ＩｏＴの動作持続時間を向上させるために、３ＧＰＰ（ｔｈｅ  ３ｒｄ  Ｇｅｎｅｒａｔｉｏｎ  Ｐａｒｔｎｅｒｓｈｉｐ  Ｐｒｏｊｅｃｔ、第３世代パートナーシッププロジェクト）ｒｅｌｅａｓｅ１６にて、１つのＭＰＤＣＣＨが複数のアップリンクＴＢ又は複数のダウンリンクＴＢを連続してスケジュールできることや、１つのＮＢＰＤＣＣＨが複数のアップリンクＴＢ又は複数のダウンリンクＴＢを連続してスケジュールできることが提案された。図１を参考すると、１つのＰＤＣＣＨが４つのＴＢを連続してスケジュールする概略図が示され、ここで、ＰＤＣＣＨはＭＰＤＣＣＨ又はＮＢＰＤＣＣＨであってもよく、４つのＴＢは４つのアップリンクＴＢ又は４つのダウンリンクＴＢであってもよい。
【００２２】
ＭＴＣ及びＮＢ−ＩｏＴは通信能力に対して高く求めていないため、処理能力に対する要件も高くなく、ＭＴＣ及びＮＢ−ＩｏＴの処理能力を低下させることができ、それによってＭＴＣ及びＮＢ−ＩｏＴのコストを削減することができる。一方で、ＭＴＣ及びＮＢ−ＩｏＴの処理能力が悪く、他方では、野外、地下室などの地点の電波カバレッジが低いため、カバレッジを向上させるために、ＭＴＣ及びＮＢ−ＩｏＴに対して繰り返し伝送メカニズムを導入し、時間ディメンションにおいて同じデータを繰り返して伝送することによって電力累積の効果を達成する。図２を参考すると、１つのＰＤＣＣＨが、繰り返し回数が４である４つのＴＢを連続してスケジュールする概略図は示され、ＰＤＣＣＨはＭＰＤＣＣＨ又はＮＢＰＤＣＣＨであってもよく、４つのＴＢは４つのアップリンクＴＢ又は４つのダウンリンクＴＢであってもよい。なお、本実施例における前記繰り返し回数はデータの総伝送回数である。図２に示すように、４つのＴＢの総伝送回数が４であれば、繰り返し回数は４である。
【００２３】
繰り返して伝送するか否かにかかわらず、送信側は時間領域において各ＴＢを集中的に伝送する。チャネル状態が不安定であるため、特定のＴＢを集中的に伝送するチャネル状態が安定でない場合、当該ＴＢ内のすべてのデータが正確に受信できなくなる状況を引き起こし、したがってデータ伝送の精度に影響を与える。
【００２４】
本実施例では、送信側はまず各ＴＢの関連する伝送内容をｎ個の伝送ユニットに分割して、各ＴＢに関わるｎ個の伝送ユニットを交互に送信することによって、時間領域において当該ｎ個の伝送ユニットの分散伝送を実現する。このように、１つのＴＢに関わるｎ個の伝送ユニットに対して、その中の一部の伝送ユニットを伝送する際にチャネル状態が悪くても、この際に伝送されるこの部分の伝送ユニットのみに影響し、他の時刻に伝送される他の伝送ユニットに影響を及ぼすことはない。それによって、伝送ｎ個の伝送ユニットを集中的に伝送する際にチャネル状態が安定でなく、当該ＴＢ内のすべてのデータが正確に受信できないという課題を回避し、したがってデータ伝送の精度を向上させることができる。
【００２５】
図３は本開示の一実施例によって提供される移動通信システムの構造概略図を示す。当該移動通信システムは５Ｇシステム、ＮＲ（Ｎｅｗ  Ｒａｄｉｏ、新しい無線インターフェイス）とも呼ばれるシステムであってもよい。当該移動通信システムは送信側３０１及び受信側３０２を含む。ここで、送信側３０１が端末である場合、受信側３０２はアクセスネットワーク機器であり、送信側３０１がアクセスネットワーク機器である場合、受信側３０２は端末である。
【００２６】
アクセスネットワーク機器は基地局であってもよい。例えば、基地局は、５Ｇシステムにおいて集約分散アーキテクチャを用いた基地局（ｇＮＢ）であってもよい。アクセスネットワーク機器が集約分散アーキテクチャを用いる場合、一般的に集約ユニット（Ｃｅｎｔｒａｌ  Ｕｎｉｔ、ＣＵ）及び少なくとも２つの分散ユニット（Ｄｉｓｔｒｉｂｕｔｅｄ  ｕｎｉｔ、ＤＵ）を含む。集約ユニットには、パケットデータ収束プロトコル（Ｐａｃｋｅｔ  Ｄａｔａ  Ｃｏｎｖｅｒｇｅｎｃｅ  Ｐｒｏｔｏｃｏｌ、ＰＤＣＰ）層、無線リンク層制御プロトコル（Ｒａｄｉｏ  Ｌｉｎｋ  Ｃｏｎｔｒｏｌ、ＲＬＣ）層、媒体アクセス制御（Ｍｅｄｉａ  Ａｃｃｅｓｓ  Ｃｏｎｔｒｏｌ、ＭＡＣ）層のプロトコルスタックが配置され、分散ユニット内には物理（Ｐｈｙｓｉｃａｌ、ＰＨＹ）層プロトコルスタックが配置される、本出願の実施例はアクセスネットワーク機器の具体的な実現形態を限定しない。選択的に、アクセスネットワーク機器はホーム基地局（Ｈｏｍｅ  ｅＮＢ、ＨｅＮＢ）、リレー（Ｒｅｌａｙ）、ピコ基地局Ｐｉｃｏなどをさらに含んでも良い。
【００２７】
アクセスネットワーク機器及び端末は無線インターフェイスを介して無線接続を確立する。選択的に、当該無線インターフェイスは第５世代移動通信ネットワーク技術（５Ｇ）標準に基づく無線インターフェイスであり、例えば、当該無線インターフェイスは新しい無線インターフェイス（Ｎｅｗ  Ｒａｄｉｏ、ＮＲ）であり、又は、当該無線インターフェイスは５Ｇの次の世代の移動通信ネットワーク技術標準に基づく無線インターフェイスであってもよい。
【００２８】
端末はユーザに音声及び／又はデータの接続性を提供するデバイスを指すものであってもよい。端末は無線アクセスネットワーク（Ｒａｄｉｏ  Ａｃｃｅｓｓ  Ｎｅｔｗｏｒｋ、ＲＡＮ）経由で１つ又は複数のコアネットワークと通信することができ、端末は移動端末であってもよく、携帯電話（「セルラー」電話とも呼ばれる）及び移動端末を有するコンピュータのようなものであり、例えば、ポータブル、ポケットサイズ、ハンドヘルド、コンピュータに内蔵されたもの又は車載のモバイルデバイスであってもよい。例えば、サブスクライバーユニット（Ｓｕｂｓｃｒｉｂｅｒ  Ｕｎｉｔ）、サブスクライバーステーション（Ｓｕｂｓｃｒｉｂｅｒ  Ｓｔａｔｉｏｎ）、モバイルステーション（Ｍｏｂｉｌｅ  Ｓｔａｔｉｏｎ）、移動局（Ｍｏｂｉｌｅ）、リモート局（Ｒｅｍｏｔｅ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）、ユーザ機器（Ｕｓｅｒ  Ｅｑｕｉｐｍｅｎｔ）である。
【００２９】
なお、図３に示す移動通信システムでは、複数の送信側３０１及び／又は複数の受信側３０２を含んでもよく、図３では、１つの送信側３０１及び１つの受信側３０２を示し、且つ送信側が端末で、受信側が基地局である場合を例として挙げて説明するが、本実施例はこれを限定しない。
【００３０】
図４は例示的な一実施例によって示されるデータ伝送方法に係るフローチャートであり、当該データ伝送方法は図３に示す移動通信システムに適用され、図４に示すように、当該データ伝送方法は以下のステップ４０１〜４０５を含む。
【００３１】
ステップ４０１では、送信側は送信対象のデータに基づいてｍ個のＴＢを生成し、各ＴＢは当該データ内の一部のデータを含む。
ここで、ｍ≧２。
【００３２】
ステップ４０２では、送信側は時間領域において各ＴＢの関連する伝送内容をｎ個の伝送ユニットに分割する。
ここで、ｎ≧２。
【００３３】
本実施例では、ＴＢの繰り返し回数がｊであるとすると、ｊ＝１の場合、当該ＴＢの関連する伝送内容は当該ＴＢであり、ｊ≧２の場合、当該ＴＢの関連する伝送内容はｊ回繰り返して伝送されるＴＢ、ｊ個のＴＢである。
【００３４】
ステップ４０３では、送信側は時間領域において各ＴＢに関わるｎ個の伝送ユニットを交互に受信側へ送信し、時間領域における当該ｎ個の伝送ユニットの伝送は分散している。
【００３５】
ステップ４０４では、受信側は、時間領域において送信側が交互に送信する各ＴＢに関わるｎ個の伝送ユニットを受信する。
【００３６】
ステップ４０５では、受信側は各ＴＢに関わるｎ個の伝送ユニットを組み合わせて当該データを得る。
【００３７】
ステップ４０１〜４０３は送信側の実施例として単独で実現することができ、ステップ４０４〜４０５は受信側の実施例として単独で実現することができる。
【００３８】
以上により、本開示によって提供されたデータ伝送方法は、各ＴＢの関連する伝送内容をｎ個の伝送ユニットに分割して、各ＴＢに関わるｎ個の伝送ユニットを交互に送信することによって、時間領域において当該ｎ個の伝送ユニットの分散伝送を実現する。このように、１つのＴＢに関わるｎ個の伝送ユニットに対して、その中の一部の伝送ユニットを伝送する際にチャネル状態が悪くても、この際に伝送されるこの部分の伝送ユニットのみに影響し、他の時刻に伝送される他の伝送ユニットに影響を及ぼすことはない。それによって、伝送ｎ個の伝送ユニットを集中的に伝送する際にチャネル状態が安定でなく、当該ＴＢ内のすべてのデータが正確に受信できないという課題を回避し、したがってデータ伝送の精度を向上させることができる。
【００３９】
図５は他の例示的な一実施例によって示されるデータ伝送方法に係るフローチャートであり、当該データ伝送方法は図３に示す移動通信システムに適用され、図５に示すように、当該データ伝送方法は以下のステップ５０１〜５０５を含む。
【００４０】
ステップ５０１では、送信側は送信対象のデータに基づいてｍ個のＴＢを生成し、各ＴＢは当該データ内の一部のデータを含み、ｍ≧２。
【００４１】
送信対象のデータは１つのＰＤＣＣＨによってスケジュールされる複数のＴＢを介して伝送できる任意のデータである。例えば、本実施例が検針のシーンに適用される場合、当該データは検針で得られたデータであってもよく、検針を制御するためのパラメータなどであってもよい。本実施例が温湿度情報収集のシーンに適用される場合、当該データは収集して得られた温度データ及び湿度データであってもよく、温度及び湿度を制御するためのパラメータなどであってもよい。
【００４２】
送信側は複数の方式を用いてｍ個ＴＢを生成することができ、ｍ≧２。以下、１つの可能な実現形態によって例を挙げて説明する。
【００４３】
送信側がアクセスネットワーク機器である場合、アクセスネットワーク機器は、各ＴＢが当該データ内の一部のデータを含むように、送信対象のデータのデータ量及び予め設定されたルールに基づいて、当該データをｍ個のＴＢに分割する。送信側が端末である場合、端末はアクセスネットワーク機器に送信対象のデータのデータ量をレポートし、アクセスネットワーク機器は当該データ量及び予め設定されたルールに基づいて、当該データをｍ個のＴＢに分割するように端末に指示し、端末は、各ＴＢが当該データ内の一部のデータを含むように、当該指示に基づいて当該データをｍ個のＴＢに分割する。
【００４４】
ステップ５０２では、送信側時間領域において各ＴＢの関連する伝送内容をｎ個の伝送ユニット（ｎ≧２）に分割する。
【００４５】
ＴＢの繰り返し回数がｊであるとすると、ｊ＝１の場合、当該ＴＢの関連する伝送内容は当該ＴＢである。ｊ≧２の場合、当該ＴＢの関連する伝送内容はｊ回繰り返して伝送されるＴＢ、ｊ個のＴＢである。次に、各ＴＢの関連する伝送内容をｎ個の伝送ユニット（ｎ≧２）に分けるステップを説明する。
【００４６】
一、ｊ＝１の場合、当該ＴＢを少なくとも２つのサブＴＢに分割することができ、少なくとも１つのサブＴＢを１つの伝送ユニットとする。
【００４７】
ＴＢをサブＴＢに分割する場合、分割する時間粒度はＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交周波数分割多重）シンボル、タイムスロット、サブフレームなどであってもよい。例えば、ＭＴＣにおいて、１つのＴＢは１つのサブフレームを占有することにより、タイムスロットにしたがって当該ＴＢを２つのサブＴＢに分けることができ、各サブＴＢが１つのタイムスロットを占有し、図６に示すとおりである。ＮＢ−ＩｏＴでは、１つのＴＢは複数のサブフレームを占有し、それによってサブフレームにしたがって当該ＴＢを複数のサブＴＢに分けることができ、各サブＴＢが１つ又は複数のサブフレームを占有する。
【００４８】
時間粒度を決定した後、送信側は３つの方法で伝送ユニットを決定することができ、以下、それぞれこの３つの方法を説明する。
【００４９】
第１の決定方法では、伝送ユニットは送信側において予め設定されたものであってもよく、即ち送信側の第１の情報において伝送ユニットが予め定義されており、そのため、送信側は直接第１の情報を読み取ることによって伝送ユニットを決定することができる。ここで、第１の情報は通信プロトコル、又は他の情報であってもよく、本実施例では限定されない。ここでの送信側は端末であってもよく、アクセスネットワーク機器であってもよい。
【００５０】
第２の決定方法では、伝送ユニットは予め設定された第１のルールに基づいて計算して得られたものであってもよく、即ち送信側において第１のルールが予め定義されており、そのため、送信側は予め設定された第１のルールに基づいて伝送ユニットを計算することができる。ここで、当該第１のルールは通信プロトコルにおいて予め設定されたものであってもよく、この際の送信側は端末であってもよく、アクセスネットワーク機器であってもよい。又は、当該第１のルールはアクセスネットワーク機器予め設定されたものであってもよく、この時、送信側がアクセスネットワーク機器である場合、送信側は直接伝送ユニットを決定することができ、送信側が端末である場合、アクセスネットワーク機器は当該第１のルールを端末に送信して、端末は伝送ユニットを決定するものとしてもよい。
【００５１】
本実施例では、第１のルールにおいて、ＴＢに対応する時間粒度に基づいて伝送ユニットを決定し、ＴＢが占有するサブフレームの数に基づいて伝送ユニットを決定するなどを定義することができる。
【００５２】
ＮＢ−ＩｏＴに適用し、かつＴＢが占有するサブフレームの数に基づいて伝送ユニットを決定する場合を例とすると、第１の閾値を決定することができ、ＴＢによって占有されたサブフレームの数が第１の閾値以下である場合、各伝送ユニットが１つのサブフレームを占有すると決定する。ＴＢによって占有されたサブフレームの数が第１の閾値より大きい場合、各伝送ユニットが２つのサブフレームを占有すると決定する。
【００５３】
第３の決定方法では、送信側が端末である場合、アクセスネットワーク機器は上記２つの決定方法によって伝送ユニットを決定して、端末に第１のシグナリングを送信してもよい。端末は当該第１のシグナリングに基づいて当該伝送ユニットを決定する。ここで、第１のシグナリングは物理層シグナリング又は高層シグナリングであってもよく、高層シグナリングは物理層の上層のシグナリングである。
【００５４】
本実施例では、各ＴＢをｉ個のサブＴＢに分割する場合、伝送ユニットは１つのサブＴＢを含み、ｉ≧２。この時、ｉ＝ｎ。
【００５５】
二、ｊ≧２の場合、ＴＢをサブＴＢに分割して、サブＴＢ又はサブＴＢの組み合わせを１つの伝送ユニットとすることができ、各ＴＢを１つの伝送ユニットとしてもよく、さらに、ＴＢの組み合わせを１つの伝送ユニットとしてもよい。次に、以上の４つの状況に対してそれぞれ説明する。
【００５６】
なお、繰り返し回数に基づいて伝送ユニットを決定すると定義することができる。例えば、第２の閾値及び第３の閾値を予め定義することができ、繰り返し回数が第２の閾値以下である場合、伝送ユニットが１つのサブＴＢを含み、かつ１つの伝送ユニットが１つのタイムスロットを占有すると決定し、繰り返し回数が第２の閾値より大きくかつ第３の閾値以下である場合、伝送ユニットが１つのＴＢを含むと決定し、繰り返し回数が第３の閾値より大きい場合、伝送ユニットが１つのＴＢグループを含むと決定する。
【００５７】
１）各ＴＢをｉ個のサブＴＢ（ｉ≧２）に分割する場合、各伝送ユニットは１つのサブＴＢを含む。
【００５８】
ここで、ＴＢをサブＴＢに分ける流れの詳細は上記説明に示すとおりであり、ここで詳しい説明を省略する。
【００５９】
なお、ＴＢの繰り返し回数がｊであり、かつ各ＴＢがｉ個のサブＴＢに分割されるため、ｎ＝ｉ×ｊ。
【００６０】
図７を参考すると、図７では、ｊが４、ｉが２であり、かつＴＢ１がＴＢ１−１及びＴＢ１−２に分割される場合を例として挙げ、図７での各ＴＢ１−１は１つの伝送ユニットであり、各ＴＢ１−２は１つの伝送ユニットである。
【００６１】
２）、各ＴＢをｉ個のサブＴＢに分割し、且つ各ＴＢの繰り返し回数がｊである場合、伝送ユニットは１つのサブＴＢグループを含み、当該サブＴＢグループは繰り返してｋ回伝送された同じサブＴＢを含み、ｉ≧２、ｊ≧２、２≦ｋ≦ｊ。
【００６２】
ＴＢをサブＴＢに分割する流れの詳細は上記説明に示すとおりであり、ここで詳しい説明を省略する。
【００６３】
なお、ＴＢの繰り返し回数がｊで、各ＴＢがｉ個のサブＴＢに分割され、かつ各サブＴＢグループがｋ個のサブＴＢを含むため、ｎ＝ｉ×（ｊ／ｋ）。
【００６４】
図８を参考すると、図８では、ｊが４、ｉが２、ｋが２であり、且つＴＢ１がＴＢ１−１及びＴＢ１−２に分割される場合を例として挙げ、図８において各２つのＴＢ１−１は１つの伝送ユニットであり、各２つのＴＢ１−２は１つの伝送ユニットである。又は、ｋが４である場合、各４つのＴＢ１−１を１つの伝送ユニットとし、各４つのＴＢ１−２を１つの伝送ユニット（図８に示されていない）としてもよい。
【００６５】
３）、各ＴＢの繰り返し回数がｊである場合、伝送ユニットは１つのＴＢを含み、ｊ≧２。
【００６６】
なお、ＴＢの繰り返し回数がｊであるため、ｎ＝ｊ。
【００６７】
図９を参考すると、図９はｊが４である場合を例として挙げ、図９における各ＴＢ１は１つの伝送ユニットである。
【００６８】
４）、各ＴＢの繰り返し回数がｊである場合、伝送ユニットは１つのＴＢグループを含み、ＴＢグループはｋ回繰り返して伝送された同じＴＢを含み、ｊ≧２、２≦ｋ≦ｊ。
【００６９】
なお、ＴＢの繰り返し回数がｊであるため、ｎ＝ｊ／ｋ。
【００７０】
図１０を参考すると、図１０はｊが４で、ｋが２である場合を例として挙げ、図１０の各２つのＴＢ１は１つの伝送ユニットである。又は、ｋが４である時、各４つのＴＢ１を１つの伝送ユニットとしてもよい（図１０に示されていない）。
【００７１】
ステップ５０３において、送信側は時間領域において各ＴＢに関わるｎ個の伝送ユニットを交互に受信側へ送信し、時間領域における当該ｎ個の伝送ユニットの伝送は分散している。
【００７２】
説明の便宜上のために、本実施例に交互伝送周期という概念が導入され、当該交互伝送周期は伝送ユニットを一回交替伝送する周期である。交互伝送周期に関わるＴＢの数ｓは、一回の交互伝送のプロセスにおいて送信された複数の伝送ユニットに関わる異なるＴＢの数である。送信側が４つのＴＢを生成したとする場合、交互伝送周期に関わるＴＢの数が２であれば、送信側はまず、最初のラウンドでＴＢ１及びＴＢ２を送信し、ＴＢ１及びＴＢ２がすべて送信された後に、第２のラウンドでＴＢ３及びＴＢ４を送信する。交互伝送周期に関わるＴＢの数が４である場合、送信側は最初のラウンドでＴＢ１、ＴＢ２、ＴＢ３、及びＴＢ４を送信する。
【００７３】
送信側は、送信側において予め設定された第２の情報に基づいてｓを決定することができ、又は、送信側は、予め設定された第２のルールに基づいてｓを計算することができ、又は、送信側が端末である場合、端末はアクセスネットワーク機器が送信した第２のシグナリングを受信して、当該第２のシグナリングに基づいてｓを決定することができる。なお、送信側によるｓの決定方法と伝送ユニットの決定方式は同じであり、詳細はステップ５０２での説明に示すとおりであり、ここでは詳しい説明を省略する。
【００７４】
なお、ここで説明された第２のルールはステップ５０２での第１のルールと違う。ここで説明された第２のルールはＴＢに基づいてｓを決定することを定義することができる。例えば、第４の閾値を予め定義することができ、ＴＢの数が第４の閾値以下である場合、ｓがｍに等しいと決定し、ＴＢの数が第４の閾値より大きい場合、ｓがｍより小さいと決定する。
【００７５】
以下はｊの数値及び伝送ユニットの分割方式に従って、それぞれ伝送ユニットの交互送信方式を説明する。
【００７６】
一、ｊ＝１、且伝送ユニットは１つのサブＴＢを含む。
【００７７】
毎回の交互伝送周期に関わるＴＢの数がｓである場合、２≦ｓ＜ｍの時、第ｖ回の交互伝送周期はｓ個のサブＴＢを含み、当該ｓ個のサブＴＢはｓ個のＴＢのうち各ＴＢによって分割された第ｖ個のサブＴＢであり、当該ｓ個のＴＢはｍ個のＴＢでの送信されていないＴＢであり、ｓ＝ｍの時、第ｖ回の交互伝送周期はｓ個のサブＴＢを含み、当該ｓ個のサブＴＢはｍ個のＴＢのうち各ＴＢによって分割された第ｖ個のサブＴＢであり、ここで、１≦ｖ≦ｉ。
【００７８】
送信側は複数の実現形態によって上記交互伝送の効果を実現することができ、以下、そのうちの１つの実現形態を例として挙げて説明する。
【００７９】
ｓ＜ｍの場合、ｍ個のＴＢから送信されていないｓ個のＴＢを選択し、当該ｓ個のＴＢに対して、第ｖ回の交互伝送の時、ｓ個のＴＢから各ＴＢの分割された第ｖ個のサブＴＢを選択して、選択されたｓ個のサブＴＢを受信側へ送信し、ｖをｖ＋１に更新し、第ｖ回の交互伝送時に、ｓ個のＴＢから各ＴＢの分割された第ｖ個のサブＴＢを選択するというステップを引き続き実行し、ｖがｉより大きくなるまで停止し、ｍ個のＴＢから送信されていないｓ個のＴＢを選択するステップを引き続き実行し、ｍ個のＴＢを送信し終えるまで停止する。
【００８０】
図１１を参考すると、ＴＢｍがＴＢｍ−１及びＴＢｍ−２に分割され、且つｓが２であり、それによって第１の交互伝送周期内にＴＢ１−１及びＴＢ２−１を送信し、第２の交互伝送周期内にＴＢ１−２及びＴＢ２−２を送信し、第３の交互伝送周期内にＴＢ３−１及びＴＢ４−１を送信し、第４の交互伝送周期内にＴＢ３−２及びＴＢ４−２を送信する。
【００８１】
ｓ＝ｍの場合、ｍ個のＴＢに対して、第ｖ回の交替伝送の時、ｍのＴＢから各ＴＢの分割された第ｖ個のサブＴＢ選択し、選択されたｍ個のサブＴＢを受信側へ送信し、ｖをｖ＋１に更新し、第ｖ回の交替伝送時に、ｍ個のＴＢから各ＴＢの分割された第ｖ個のサブＴＢを選択するというステップを引き続き実行し、ｖがｉより大きくなるまで停止する。
【００８２】
図１２を参考すると、ＴＢｍがＴＢｍ−１及びＴＢｍ−２に分割され、且つｓが４であり、それによって第１の交互伝送周期内にＴＢ１−１、ＴＢ２−１、ＴＢ３−１、及びＴＢ４−１を送信し、第２の交互伝送周期内にＴＢ１−２、ＴＢ２−２、ＴＢ３−２、及びＴＢ４−２を送信する。
【００８３】
二、ｊ≧２、且つ伝送ユニットは１つのサブＴＢ、１つのサブＴＢグループ、１つのＴＢ、１つのＴＢグループという４種類のうちの１つを含む。
【００８４】
１）伝送ユニットは１つのサブＴＢを含む。
【００８５】
毎回の交互伝送周期に関わるＴＢの数量がｓである場合、繰り返してｋ回目に伝送されたｓ個のＴＢに対して、当該ｓ個のＴＢはｍ個のＴＢでの送信されていないＴＢであり、２≦ｓ＜ｍの時、第ｖ回の交互伝送周期はｓ個のサブＴＢを含み、当該ｓ個のサブＴＢはｓ個のＴＢのうち各ＴＢによって分割された第ｖ個のサブＴＢであり、ｓ＝ｍの時、第ｖ回の交互伝送周期はｓ個のサブＴＢを含み、当該ｓ個のサブＴＢはｍ個のＴＢのうち各ＴＢによって分割された第ｖ個のサブＴＢであり、ここで、ｊ≧２、１≦ｋ≦ｊ、１≦ｖ≦ｉ。
【００８６】
本実現形態は（１）での実現形態と類似する。相違は、本実現形態では各ＴＢが繰り返してｋ回伝送され、且つ各ラウンドでｓ個のＴＢを送信し終えた後に、次のラウンドのｓ個のＴＢを送信することである。
【００８７】
図１３を参考すると、ＴＢｍがＴＢｍ−１及びＴＢｍ−２に分割され、且つｓが２であり、それによって第１、３、５、７の交互伝送周期内にＴＢ１−１及びＴＢ２−１を送信し、第２、４、６、８の交互伝送周期内にＴＢ１−２及びＴＢ２−２を送信し、第９、１１、１３、１５の交互伝送周期内にＴＢ３−１及びＴＢ４−１を送信し、第１０、１２、１４、１６の交互伝送周期内にＴＢ３−２及びＴＢ４−２を送信する。
【００８８】
図１４を参考すると、ＴＢｍがＴＢｍ−１及びＴＢｍ−２に分割され、且つｓが４であり、それによって第１、３、５、７の交互伝送周期内にＴＢ１−１、ＴＢ２−１、ＴＢ３−１、及びＴＢ４−１を送信し、第２、４、６、８の交互伝送周期内にＴＢ１−２、ＴＢ２−２、ＴＢ３−２、及びＴＢ４−２を送信する。
【００８９】
２）伝送ユニットは１つのサブＴＢグループを含む。
【００９０】
毎回の交互伝送周期に関わるＴＢグループの数がｓであり、当該ＴＢグループがｋ回繰り返して伝送された同じＴＢを含む場合、繰り返してｐ回目に伝送されたｓ個のＴＢグループに対して、当該ｓ個のＴＢグループはｍ個のＴＢグループでの送信されていないＴＢグループであり、２≦ｓ＜ｍの時、第ｖ回の交互伝送周期はｓ個のサブＴＢグループを含み、当該ｓ個のサブＴＢグループはｓ個のＴＢグループのうち各ＴＢグループによって分割された第ｖ個のサブＴＢグループであり、ｓ＝ｍの時、第ｖ回の交互伝送周期はｓ個のサブＴＢグループを含み、当該ｓ個のサブＴＢグループはｍ個のＴＢグループのうち各ＴＢグループによって分割された第ｖ個のサブＴＢグループであり、ここで、１≦ｐ≦ｊ／ｋ、１≦ｖ≦ｉ。
【００９１】
ここで、送信側は複数の実現形態で上記交互伝送の効果を実現することができ、次に、そのうちの１つの実現形態を例に挙げて説明する。
【００９２】
ｓ＜ｍの時、ｍ個のＴＢグループから送信されていないｓ個のＴＢグループを選択し、繰り返してｐ回目に伝送されたｓ個のＴＢグループに対して、第ｖ回の交替伝送時に、ｓ個のＴＢグループから各ＴＢグループの分割された第ｖ個のサブＴＢグループを選択し、選択されたｓ個のサブＴＢグループを受信側へ送信し、ｖをｖ＋１に更新し、第ｖ回の交互伝送時に、ｓ個のＴＢグループから各ＴＢグループの分割された第ｖ個のサブＴＢグループを選択するというステップを引き続き実行し、ｖがｉより大きくなるまで停止し、ｍ個のＴＢグループから送信されていないｓ個のＴＢグループを選択するというステップを引き続き実行し、ｍ個のＴＢグループを送信し終えるまで停止する。
【００９３】
図１５を参考すると、ＴＢｍがＴＢｍ−１及びＴＢｍ−２に分割され、ｓが２であり、且つｋが４であり、それによって第１の交互伝送周期内にＴＢ１−１グループ及びＴＢ２−１グループを送信し、第２の交互伝送周期内にＴＢ１−２グループ及びＴＢ２−２グループを送信し、第３の交互伝送周期内にＴＢ３−１グループ及びＴＢ４−１グループを送信し、第４の交互伝送周期内にＴＢ３−２グループ及びＴＢ４−２グループを送信する。
【００９４】
ｓ＝ｍの時、繰り返してｐ回目に伝送されたｍ個のＴＢグループに対して、第ｖ回の交替伝送時に、ｍ個のＴＢグループから各ＴＢグループの分割された第ｖ個のサブＴＢグループを選択し、選択されたｍ個のサブＴＢグループを受信側へ送信し、ｖをｖ＋１に更新し、第ｖ回の交替伝送時に、ｍ個のＴＢグループから各ＴＢグループの分割された第ｖ個のサブＴＢグループを選択するというステップを引き続き実行し、ｖがｉより大きくなるまで停止する。
【００９５】
図１６を参考すると、ＴＢｍがＴＢｍ−１及びＴＢｍ−２に分割され、ｓ及びｋがいずれも４であり、それによって第１の交互伝送周期内にＴＢ１−１グループ、ＴＢ２−１グループ、ＴＢ３−１グループ、及びＴＢ４−１グループを送信し、第２の交互伝送周期内にＴＢ１−２グループ、ＴＢ２−２グループ、ＴＢ３−２グループ、及びＴＢ４−２グループを送信する。
【００９６】
３）伝送ユニットは１つのＴＢを含む。
【００９７】
毎回の交互伝送周期に関わるＴＢの数がｓである場合、２≦ｓ＜ｍの時、第ｖ回の交互伝送周期はｓ個のＴＢを含み、当該ｓ個のＴＢはｍ個のＴＢでの送信されていないＴＢであり、ｓ＝ｍの時、第ｖ回の交互伝送周期に含まれるｓ個のＴＢはｍ個のＴＢであり、ここで、１≦ｖ≦ｊ。
【００９８】
ここで、送信側は複数の実現形態で上記交互伝送の効果を実現することができ、次に、そのうちの１つの実現形態を例に挙げて説明する。
【００９９】
ｓ＜ｍの場合、ｍ個のＴＢから送信されていないｓ個のＴＢを選択し、繰り返してｐ回目に伝送されたｓ個のＴＢに対し、当該ｓ個のＴＢを受信側へ送信し、当該ｓ個のＴＢの繰り返し回数がｊになるまで停止し、ｍ個のＴＢから送信されていないｓ個のＴＢを選択するというステップを引き続き実行し、ｍ個のＴＢを送信し終えるまで停止する。
【０１００】
図１７を参考すると、ｓが２であり、それによって第１、２、３、４の交互伝送周期内にＴＢ１及びＴＢ２を送信し、第５、６、７、８の交互伝送周期内にＴＢ３及びＴＢ４を送信する。
【０１０１】
ｓ＝ｍの時、繰り返してｐ回目に伝送されたｍ個のＴＢに対して、当該ｍ個のＴＢを受信側へ送信し、当該ｍ個のＴＢの繰り返し回数がｊになるまで停止する。
【０１０２】
図１８を参考すると、ｓが４であり、それによって第１、２、３、４の交互伝送周期内にＴＢ１、ＴＢ２、ＴＢ３、及びＴＢ４を送信する。
【０１０３】
４）伝送ユニットは１つのＴＢグループを含む。
【０１０４】
毎回の交互伝送周期に関わるＴＢグループの数がｓである場合、２≦ｓ＜ｍの時、第ｖ回の交互伝送周期はｓ個のＴＢグループを含み、当該ｓ個のＴＢグループはｍ個のＴＢグループの送信されていないＴＢグループであり、ｓ＝ｍの時、第ｖ回の交互伝送周期に含まれるｓ個のＴＢグループはｍ個のＴＢグループであり、ここで、１≦ｖ≦ｊ／ｋ。
【０１０５】
ここで、送信側は複数の実現形態で上記交互伝送の効果を実現することができ、次に、そのうちの１つの実現形態を例に挙げて説明する。
【０１０６】
ｓ＜ｍの時、ｍ個のＴＢグループから送信されていないｓ個のＴＢグループを選択し、繰り返してｐ回目に伝送されたｓ個のＴＢグループに対して、当該ｓ個のＴＢグループを受信側へ送信し、当該ｓ個のＴＢグループの繰り返し回数がｊ／ｋになるまで停止し、ｍ個のＴＢグループから送信されていないｓ個のＴＢグループを選択するというステップを引き続き実行し、ｍ個のＴＢグループを送信し終えるまで停止する。
【０１０７】
図１９を参考すると、ｓが２かつｋが４であり、それによって第１、２の交互伝送周期内にＴＢ１グループ及びＴＢ２グループを送信し、第３、４の交互伝送周期内にＴＢ３グループ及びＴＢ４グループを送信する。
【０１０８】
ｓ＝ｍの時、繰り返してｐ回目に伝送されたｍ個のＴＢグループに対して、当該ｍ個のＴＢグループを受信側へ送信し、当該ｍ個のＴＢグループの繰り返し回数がｊ／ｋになるまで停止する。
【０１０９】
図２０を参考すると、ｓ及びｋがいずれも４であり、それによって第１、２の交互伝送周期内にＴＢ１グループ、ＴＢ２グループ、ＴＢ３グループ、及びＴＢ４グループを送信する。
【０１１０】
ステップ５０４では、受信側は時間領域において、送信側が交互に送信した各ＴＢに関わるｎ個の伝送ユニットを受信する。
【０１１１】
ステップ５０５では、受信側は各ＴＢに関わるｎ個の伝送ユニットを組み合わせて当該データを得る。
【０１１２】
受信側はまず伝送ユニットを決定して、その次に、送信側が各ＴＢに関わるｎ個の伝送ユニットを交互に送信する周期に基づいて、受信した伝送ユニットを組み合わせて、当該データを得る。
【０１１３】
伝送ユニットを決定する際に、受信側は受信側において予め設定された第１の情報に基づいて伝送ユニットを決定することができ、又は、受信側は予め設定された第１のルールに基づいて伝送ユニットを計算することができ、又は、受信側が端末である時、端末はアクセスネットワーク機器によって送信された第１のシグナリングを受信して、第１のシグナリングに基づいて伝送ユニットを決定することができる。この３つの実現形態はステップ５０２において送信側が伝送ユニットを決定する３つの実現形態と同じであり、詳細は上記説明のとおりであり、ここでは詳しい説明を省略する。
【０１１４】
受信側は、毎回の交互伝送周期内に受信された伝送ユニットを組み合わせる際に、さらに毎回の交互伝送周期に関わるＴＢの数ｓを決定する必要がある。受信側は受信側において予め設定された第２の情報に基づいてｓを決定することができ、又は、受信側は予め設定された第２のルールに基づいてｓを計算することができ、又は、受信側が端末である場合、端末はアクセスネットワーク機器によって送信された第２のシグナリングを受信して、当該第２のシグナリングに基づいてｓを決定することができる。この３つの実現形態はステップ５０３において送信側がｓを決定する３つの実現形態と同じであり、詳細は上記説明に示すとおりであり、ここで詳しい説明を省略する。
【０１１５】
ここで、ステップ５０１〜５０３は送信側の実施例として単独で実現することができ、ステップ５０４〜５０５は受信側の実施例として単独で実現することができる。
【０１１６】
以上により、本開示によって提供されたデータ伝送方法は、各ＴＢの関連する伝送内容をｎ個の伝送ユニットに分割して、各ＴＢに関わるｎ個の伝送ユニットを交互に送信することによって、時間領域において当該ｎ個の伝送ユニットの分散伝送を実現する。このように、１つのＴＢに関わるｎ個の伝送ユニットに対して、その中の一部の伝送ユニットを伝送する際にチャネル状態が悪くても、この際に伝送されるこの部分の伝送ユニットのみに影響し、他の時刻に伝送される他の伝送ユニットに影響を及ぼすことはない。それによって、伝送ｎ個の伝送ユニットを集中的に伝送する際にチャネル状態が安定でなく、当該ＴＢ内のすべてのデータが正確に受信できないという課題を回避し、したがってデータ伝送の精度を向上させることができる。
【０１１７】
図２１は例示的な一実施例によって示されるデータ伝送装置に係るブロック図であり、当該データ伝送装置は図３に示す送信側３０１に適用され、図２１に示すように、当該データ伝送装置は、生成モジュール２１１０、分割モジュール２１２０、及び送信モジュール２１３０を含み、
当該生成モジュール２１１０は、送信対象のデータに基づいて、それぞれデータ内の一部のデータを含むｍ個の伝送ブロックＴＢ（ｍ≧２）を生成するように構成され、
当該分割モジュール２１２０は、時間領域において各ＴＢの関連する伝送内容をｎ個の伝送ユニット（ｎ≧２）に分割するように構成され、
当該送信モジュール２１３０は、時間領域において各ＴＢに関わるｎ個の伝送ユニットを交互に受信側へ送信するように構成され、時間領域におけるｎ個の伝送ユニットの伝送は分散している。
【０１１８】
本開示の一実施例において、当該装置は決定モジュール２１４０をさらに含み、
当該決定モジュール２１４０は、送信側において予め設定された第１の情報に基づいて伝送ユニットを決定するように構成され、又は、予め設定された第１のルールに基づいて伝送ユニットを計算するように構成され、又は、送信側が端末である場合、アクセスネットワーク機器によって送信された第１のシグナリングを受信し、当該第１のシグナリングに基づいて伝送ユニットを決定するように構成される。
【０１１９】
本開示の一実施例では、各ＴＢをｉ個のサブＴＢに分割する場合、伝送ユニットは１つのサブＴＢを含み、ｉ≧２。
【０１２０】
本開示の一実施例では、ｍ個のＴＢを繰り返して伝送せず、かつ毎回の交互伝送周期に関わるＴＢの数がｓである場合、２≦ｓ＜ｍの時、第ｖ回の交互伝送周期はｓ個のサブＴＢを含み、当該ｓ個のサブＴＢはｓ個のＴＢのうち各ＴＢによって分割された第ｖ個のサブＴＢであり、ｓ個のＴＢはｍ個のＴＢでの送信されていないＴＢであり、ｓ＝ｍの時、第ｖ回の交互伝送周期はｓ個のサブＴＢを含み、当該ｓ個のサブＴＢはｍ個のＴＢのうち各ＴＢによって分割された第ｖ個のサブＴＢであり、ここで、１≦ｖ≦ｉ。
【０１２１】
本開示の一実施例では、ｍ個のＴＢの繰り返し回数がｊであり、且つ毎回の交互伝送周期に関わるＴＢの数がｓである場合、繰り返してｋ回目に伝送されたｓ個のＴＢに対して、ｓ個のＴＢはｍ個のＴＢでの送信されていないＴＢであり、２≦ｓ＜ｍの時、第ｖ回の交互伝送周期はｓ個のサブＴＢを含み、当該ｓ個のサブＴＢはｓ個のＴＢのうち各ＴＢによって分割された第ｖ個のサブＴＢであり、ｓ＝ｍの時、第ｖ回の交互伝送周期はｓ個のサブＴＢを含み、当該ｓ個のサブＴＢはｍ個のＴＢのうち各ＴＢによって分割された第ｖ個のサブＴＢであり、ここで、ｊ≧２、１≦ｋ≦ｊ、１≦ｖ≦ｉ。
【０１２２】
本開示の一実施例では、各ＴＢをｉ個のサブＴＢに分割し、且つ各ＴＢの繰り返し回数がｊである場合、伝送ユニットは１つのサブＴＢグループを含み、サブＴＢグループは繰り返してｋ回伝送された同じサブＴＢを含み、ｉ≧２、ｊ≧２、２≦ｋ≦ｊ。
【０１２３】
本開示の一実施例では、毎回の交互伝送周期に関わるＴＢグループの数がｓであり、ＴＢグループがｋ回繰り返して伝送された同じＴＢを含む場合、繰り返してｐ回目に伝送されたｓ個のＴＢグループに対して、ｓ個のＴＢグループはｍ個のＴＢグループでの送信されていないＴＢグループであり、２≦ｓ＜ｍの時、第ｖ回の交互伝送周期はｓ個のサブＴＢグループを含み、当該ｓ個のサブＴＢグループはｓ個のＴＢグループのうち各ＴＢグループによって分割された第ｖ個のサブＴＢグループであり、ｓ＝ｍの時、第ｖ回の交互伝送周期はｓ個のサブＴＢグループを含み、当該ｓ個のサブＴＢグループはｍ個のＴＢグループのうち各ＴＢグループによって分割された第ｖ個のサブＴＢグループであり、ここで、１≦ｐ≦ｊ／ｋ、１≦ｖ≦ｉ。
【０１２４】
本開示の一実施例では、各ＴＢの繰り返し回数がｊである場合、伝送ユニットは１つのＴＢを含み、ｊ≧２。
【０１２５】
本開示の一実施例では、毎回の交互伝送周期に関わるＴＢの数がｓである場合、２≦ｓ＜ｍの時、第ｖ回の交互伝送周期はｓ個のＴＢを含み、当該ｓ個のＴＢはｍ個のＴＢでの送信されていないＴＢであり、ｓ＝ｍの時、第ｖ回の交互伝送周期に含まれるｓ個のＴＢはｍ個のＴＢであり、ここで、１≦ｖ≦ｊ。
【０１２６】
本開示の一実施例では、各ＴＢの繰り返し回数がｊである場合、伝送ユニットは１つのＴＢグループを含み、ＴＢグループはｋ回繰り返して伝送された同じＴＢを含み、ｊ≧２、２≦ｋ≦ｊ。
【０１２７】
本開示の一実施例では、毎回の交互伝送周期に関わるＴＢグループの数がｓである場合、２≦ｓ＜ｍの時、第ｖ回の交互伝送周期はｓ個のＴＢグループを含み、当該ｓ個のＴＢグループはｍ個のＴＢグループの送信されていないＴＢグループであり、ｓ＝ｍの時、第ｖ回の交互伝送周期に含まれるｓ個のＴＢグループはｍ個のＴＢグループであり、ここで、１≦ｖ≦ｊ／ｋ。
【０１２８】
本開示の一実施例では、当該決定モジュール２１４０はさらに、送信側において予め設定された第２の情報に基づいてｓを決定するように構成され、又は、予め設定された第２のルールに基づいてｓを計算するように構成され、又は、送信側が端末である場合ではさらに、アクセスネットワーク機器によって送信された第２のシグナリングを受信し、当該第２のシグナリングに基づいてｓを決定するように構成される。
【０１２９】
以上により、本開示によって提供されたデータ伝送装置は、各ＴＢの関連する伝送内容をｎ個の伝送ユニットに分割して、各ＴＢに関わるｎ個の伝送ユニットを交互に送信することによって、時間領域において当該ｎ個の伝送ユニットの分散伝送を実現する。このように、１つのＴＢに関わるｎ個の伝送ユニットに対して、その中の一部の伝送ユニットを伝送する際にチャネル状態が悪くても、この際に伝送されるこの部分の伝送ユニットのみに影響し、他の時刻に伝送される他の伝送ユニットに影響を及ぼすことはない。それによって、伝送ｎ個の伝送ユニットを集中的に伝送する際にチャネル状態が安定でなく、当該ＴＢ内のすべてのデータが正確に受信できないという課題を回避し、したがってデータ伝送の精度を向上させることができる。
【０１３０】
図２２は例示的な一実施例によって示されるデータ伝送装置に係るブロック図である。当該データ伝送装置は図３に示す受信側３０２に適用され、図２２に示すように、当該データ伝送装置は受信モジュール２２１０及び組み合わせモジュール２２２０を含み、
当該受信モジュール２２１０は、送信側によって交互に送信された各伝送ブロックＴＢに関わるｎ個の伝送ユニットを時間領域において受信するように構成され、時間領域における前記ｎ個の伝送ユニットの伝送は分散しており、前記ｎ個の伝送ユニットは前記送信側が送信対象のデータに基づいてｍ個のＴＢを生成して、時間領域において各ＴＢの関連する伝送内容を分割して得られるものであり、各ＴＢは前記データ内の一部のデータを含み、ｍ≧２、ｎ≧２、  
当該組み合わせモジュール２２２０は、各ＴＢに関わるｎ個の伝送ユニットを組み合わせて前記データを得るように構成される。
【０１３１】
本開示の一実施例では、当該装置は決定モジュール２２３０をさらに含み、
当該決定モジュール２２３０は、受信側において予め設定された第１の情報に基づいて伝送ユニットを決定するように構成され、又は、予め設定された第１のルールに基づいて伝送ユニットを計算するように構成され、又は、受信側が端末である場合、アクセスネットワーク機器によって送信された第１のシグナリングを受信し、当該第１のシグナリングに基づいて伝送ユニットを決定するように構成される。
【０１３２】
本開示の一実施例では、各ＴＢをｉ個のサブＴＢに分割する場合、伝送ユニットは１つのサブＴＢを含み、ｉ≧２。
【０１３３】
本開示の一実施例では、ｍ個のＴＢを繰り返して伝送せず、かつ毎回の交互伝送周期に関わるＴＢの数がｓである場合、２≦ｓ＜ｍの時、第ｖ回の交互伝送周期はｓ個のサブＴＢを含み、当該ｓ個のサブＴＢはｓ個のＴＢのうち各ＴＢによって分割された第ｖ個のサブＴＢであり、ｓ個のＴＢはｍ個のＴＢでの送信されていないＴＢであり、ｓ＝ｍの時、第ｖ回の交互伝送周期はｓ個のサブＴＢを含み、当該ｓ個のサブＴＢはｍ個のＴＢのうち各ＴＢによって分割された第ｖ個のサブＴＢであり、ここで、１≦ｖ≦ｉ。
【０１３４】
本開示の一実施例では、ｍ個のＴＢの繰り返し回数がｊであり、且つ毎回の交互伝送周期に関わるＴＢの数がｓである場合、繰り返してｋ回目に伝送されたｓ個のＴＢに対して、ｓ個のＴＢはｍ個のＴＢでの送信されていないＴＢであり、２≦ｓ＜ｍの時、第ｖ回の交互伝送周期はｓ個のサブＴＢを含み、当該ｓ個のサブＴＢはｓ個のＴＢのうち各ＴＢによって分割された第ｖ個のサブＴＢであり、ｓ＝ｍの時、第ｖ回の交互伝送周期はｓ個のサブＴＢを含み、当該ｓ個のサブＴＢはｍ個のＴＢのうち各ＴＢによって分割された第ｖ個のサブＴＢであり、ここで、ｊ≧２、１≦ｋ≦ｊ、１≦ｖ≦ｉ。
【０１３５】
本開示の一実施例では、各ＴＢをｉ個のサブＴＢに分割し、且つ各ＴＢの繰り返し回数がｊである場合、伝送ユニットは１つのサブＴＢグループを含み、サブＴＢグループは繰り返してｋ回伝送された同じサブＴＢを含み、ｉ≧２、ｊ≧２、２≦ｋ≦ｊ。
【０１３６】
本開示の一実施例では、毎回の交互伝送周期に関わるＴＢグループの数がｓであり、ＴＢグループがｋ回繰り返して伝送された同じＴＢを含む場合、繰り返してｐ回目に伝送されたｓ個のＴＢグループに対して、ｓ個のＴＢグループはｍ個のＴＢグループでの送信されていないＴＢグループであり、２≦ｓ＜ｍの時、第ｖ回の交互伝送周期はｓ個のサブＴＢグループを含み、当該ｓ個のサブＴＢグループはｓ個のＴＢグループのうち各ＴＢグループによって分割された第ｖ個のサブＴＢグループであり、ｓ＝ｍの時、第ｖ回の交互伝送周期はｓ個のサブＴＢグループを含み、当該ｓ個のサブＴＢグループはｍ個のＴＢグループのうち各ＴＢグループによって分割された第ｖ個のサブＴＢグループであり、ここで、１≦ｐ≦ｊ／ｋ、１≦ｖ≦ｉ。
【０１３７】
本開示の一実施例では、各ＴＢの繰り返し回数がｊである場合、伝送ユニットは１つのＴＢを含み、ｊ≧２。
【０１３８】
本開示の一実施例では、毎回の交互伝送周期に関わるＴＢの数がｓである場合、２≦ｓ＜ｍの時、第ｖ回の交互伝送周期はｓ個のＴＢを含み、当該ｓ個のＴＢはｍ個のＴＢでの送信されていないＴＢであり、ｓ＝ｍの時、第ｖ回の交互伝送周期に含まれるｓ個のＴＢはｍ個のＴＢであり、ここで、１≦ｖ≦ｊ。
【０１３９】
本開示の一実施例では、各ＴＢの繰り返し回数がｊである場合、伝送ユニットは１つのＴＢグループを含み、ＴＢグループはｋ回繰り返して伝送された同じＴＢを含み、ｊ≧２、２≦ｋ≦ｊ。
【０１４０】
本開示の一実施例では、毎回の交互伝送周期に関わるＴＢグループの数がｓである場合、２≦ｓ＜ｍの時、第ｖ回の交互伝送周期はｓ個のＴＢグループを含み、当該ｓ個のＴＢグループはｍ個のＴＢグループの送信されていないＴＢグループであり、ｓ＝ｍの時、第ｖ回の交互伝送周期に含まれるｓ個のＴＢグループはｍ個のＴＢグループであり、ここで、１≦ｖ≦ｊ／ｋ。
【０１４１】
本開示の一実施例では、当該決定モジュール２２３０はさらに、受信側において予め設定された第２の情報に基づいてｓを決定するように構成され、又は、予め設定された第２のルールに基づいてｓを計算するようにさらに構成され、又は、受信側が端末である場合ではさらに、アクセスネットワーク機器によって送信された第２のシグナリングを受信し、当該第２のシグナリングに基づいてｓを決定するように構成される。
【０１４２】
以上により、本開示によって提供されたデータ伝送装置は、送信側が時間領域において交互に送信した各ＴＢに関わるｎ個の伝送ユニットを受信することによって、在時間領域において当該ｎ個の伝送ユニットを分散して受信することを実現する。このようにして、１つのＴＢに関わるｎ個の伝送ユニットに対して、そのうちの一部の伝送ユニットを受信する際にチャネル状態が悪いにもかかわらず、この際に受信したこの部分の伝送ユニットのみに影響を与え、他の時刻に受信した他の伝送ユニットに影響せず、それによってｎ個の伝送ユニットを集中的に受信する際にチャネル状態が安定でなく、該ＴＢ内のすべてのデータが正確に受信できないという問題を回避し、従ってデータ伝送の精度を向上させることができる。
【０１４３】
本開示の例示的な一実施例は、本開示によって提供されたデータ伝送方法を実現できる送信側を提供し、当該ＵＥは、プロセッサと、プロセッサによって実行可能なシグナリングを記憶するためのメモリと、を含み、
ここで、プロセッサは、
送信対象のデータに基づいてｍ個のＴＢを生成し、各ＴＢはデータ内の一部のデータを含み、ｍ≧２、
時間領域において各ＴＢの関連する伝送内容をｎ個の伝送ユニット（ｎ≧２）に分割し、
時間領域において各ＴＢに関わるｎ個の伝送ユニットを交互に受信側へ送信するように構成され、時間領域におけるｎ個の伝送ユニットの伝送は分散している。
【０１４４】
本開示の例示的な一実施例は、本開示によって提供されたデータ伝送方法を実現できる受信側を提供し、当該基地局は、プロセッサと、プロセッサによって実行可能なシグナリングを記憶するためのメモリとを含み、
ここで、プロセッサは、
送信側によって交互に送信された各ＴＢに関わるｎ個の伝送ユニットを時間領域において受信し、時間領域におけるｎ個の伝送ユニットの伝送は分散しており、且つｎ個の伝送ユニットは送信側が送信対象のデータに基づいてｍ個のＴＢを生成し、時間領域において各ＴＢの関連する伝送内容を分割することによって得られるものであり、各ＴＢはデータ内の一部のデータを含み、ｍ≧２、ｎ≧２、
各ＴＢに関わるｎ個の伝送ユニットを組み合わせてデータを得るように構成される。
【０１４５】
図２３は例示的な一実施例によって示されるデータ伝送用のデバイス２３００に係るブロック図である。例えば、デバイス２３００は携帯電話、コンピュータ、デジタル放送端末、メッセージング送受信装置、ゲームコンソール、タブレット装置、医療装置、フィットネス装置、パーソナルデジタルアシスタントなどであってもよい。
【０１４６】
図２３を参照すると、デバイス２３００は、処理コンポーネント２３０２、メモリ２３０４、電源コンポーネント２３０６、マルチメディアコンポーネント２３０８、オーディオコンポーネント２３１０、入力／出力（Ｉ／Ｏ）インターフェイス２３１２、センサコンポーネント２３１４、及び通信コンポーネント２３１６のうちの１つ又は複数を含んでも良い。
【０１４７】
処理コンポーネント２３０２は通常、デバイス２３００の全般の操作、例えば、表示、電話の呼び出し、データ通信、カメラ操作、及び記録操作に関連する操作を制御する。処理コンポーネント２３０２は、上記方法のすべて又は一部のステップを完成させるように、命令を実行するための１つ又は複数のプロセッサ２３２０を含んでも良い。また、処理コンポーネント２３０２は、処理コンポーネント２３０２とその他のコンポーネントとの間のインタラクションを容易にするために、１つ又は複数のモジュールを含んでも良い。たとえは、処理コンポーネント２３０２は、マルチメディアコンポーネント２３０８と処理コンポーネント２３０２との間にインタラクションを容易にするために、マルチメディアモジュールを含んでもよい。
【０１４８】
メモリ２３０４は、デバイス２３００での操作をサポートするために様々なタイプのデータを記憶するように構成される。これらのデータの例示は、デバイス２３００において操作するためのあらゆるアプリケーション又は方法の命令、連絡先データ、電話帳データ、情報、写真、ビデオなどを含む。メモリ２３０４はスタティックランダムアクセスメモリ（ＳＲＡＭ）、電気的消去可能プログラマブル読み出し専用メモリ（ＥＥＰＲＯＭ）、消去可能プログラマブル読み出し専用メモリ（ＥＰＲＯＭ）、プログラム可能な読み出し専用メモリ（ＰＲＯＭ）、読み出し専用メモリ（ＲＯＭ）、磁気メモリ、フラッシュメモリ、ディスク又は光ディスクのような、任意タイプの揮発性又は非揮発性記憶装置又はこれらの組み合わせによって実現することができる。
【０１４９】
電源コンポーネント２３０６はデバイス２３００の様々なコンポーネントのために電力を提供する。電源コンポーネント２３０６は電源管理システム、１つ又は複数の電源、及びデバイス２３００のために電力を生成、管理、配分するための他の関連するコンポーネントを含んでも良い。
【０１５０】
マルチメディアコンポーネント２３０８は前記デバイス２３００とユーザとの間に１つの出力インターフェイスを提供するスクリーンを含む。一部の実施例において、スクリーンは、液晶ディスプレイ（ＬＣＤ）とタッチパネル（ＴＰ）とを含んでもよい。スクリーンがタッチパネルを含む場合に、スクリーンは、ユーザからの入力信号を受信するためのタッチスクリーンとして実現することができる。タッチパネルは、タッチパネルをタッチ及びスライドするジェスチャを感知する１つ又は複数のタッチセンサを含む。前記タッチセンサは、タッチ又はスライド動作の境界を感知することができるほか、前記タッチ又はスライド操作に関する持続時間及び圧力を感知することができる。一部の実施例では、マルチメディアコンポーネント２３０８は１つのフロントカメラ及び／又はリアカメラを含む。デバイス２３００が撮影モード又はビデオモードのような操作モードである場合、フロントカメラ及び／又はリアカメラは外部のマルチメディアデータを受信することができる。各フロントカメラ及びリアカメラは１つの固定した光学レンズシステム又は焦点距離と光学ズーム機能を備えたものであってもよい。
【０１５１】
オーディオコンポーネント２３１０はオーディオ信号を出力及び／又は入力するように構成される。例えば、オーディオコンポーネント２３１０は１つのマイク（ＭＩＣ）を含み、デバイス２３００が呼び出しモード、記録モード、及び音声識別モードのような操作モードである場合、マイクは外部オーディオ信号を受信するように構成される。受信されたオーディオ信号はさらにメモリ２３０４に記憶するか、又は通信コンポーネント２３１６を介して送信することができる。一部の実施例では、オーディオコンポーネント２３１０はオーディオ信号を出力するための１つのスピーカーをさらに含んでも良い。
【０１５２】
Ｉ／Ｏインターフェイス２３１２は処理コンポーネント２３０２とペリフェラルインターフェイスモジュールとの間にインターフェイスを提供し、上記ペリフェラルインターフェイスモジュールはキーボード、クリックホイール、ボタンなどであってもよい。これらのボタンはホームボタン、音量ボタン、開始ボタン、及びロックボタンなどを含むが、これらに限定されない。
【０１５３】
センサコンポーネント２３１４は、デバイス２３００のために各方面の状態評価を提供するための１つ又は複数のセンサを含む。例えば、センサコンポーネント２３１４はデバイス２３００のオン／オフ状態と、コンポーネントの相対的な位置決めとを検出することができ、例えば、前記コンポーネントがデバイス２３００のディスプレイ及びキーパッドである場合、センサコンポーネント２３１４は、デバイス２３００又はデバイス２３００の１つのコンポーネントの位置変化と、ユーザとデバイス２３００との接触の有無、デバイス２３００の方位又は加速／減速と、デバイス２３００の温度変化と、をさらに検出することができる。センサコンポーネント２３１４は、物理的接触が一切ない場合に近くの物体の存在を検出するように構成される近接センサを含んでも良い。センサコンポーネント２３１４は、結像応用での使用に用いられるＣＭＯＳ又はＣＣＤ画像センサのような光センサをさらに含んでもよい。一部の実施例では、当該センサコンポーネント２３１４はジャイロセンサ、磁気センサ、圧力センサ、又は温度センサをさらに含んでも良い。
【０１５４】
通信コンポーネント２３１６はデバイス２３００と他のデバイスとの間の有線又は無線の方式を容易にするように構成される。デバイス２３００はＷｉＦｉ、２Ｇ又は３Ｇ又はそれらの組み合わせなどの通信規格に基づいた無線ネットワークにアクセスすることができる。例示的な一実施例では、通信部件２３１６はブロードキャストチャネルを介して外部のブロードキャスト管理システムからのブロードキャスト信号を受信するか、又は関連する情報をブロードキャストする。例示的な一実施例では、前記通信部件２３１６短距離通信を促すように、近距離通信（ＮＦＣ）モジュールをさらに含む。
【０１５５】
例示的な実施例では、デバイス２３００は、上記方法を実行するために、１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ、又は他の電子ユニットによって実現することができる。
【０１５６】
例示的な実施例において、命令を含む非一時的なコンピュータ読み取り可能な記憶媒体をさらに提供し、例えば命令を含むメモリ２３０４を提供し、上記命令はデバイス２３００のプロセッサ２３２０による実行で上記方法を完成させることができる。例えば、前記非一時的なコンピュータ読み取り可能な記憶媒体はＲＯＭ、ランダムアクセスメモリ（ＲＡＭ）、ＣＤ−ＲＯＭ、磁気テープ、フロッピ−ディスク、光データ記憶装置などであってもよい。
【０１５７】
非一時的なコンピュータ読み取り可能な記憶媒体であって、前記記憶媒体内の命令が移動端末のプロセッサによって実行される際に、移動端末が上記データ伝送方法を実行できるようにする。
【０１５８】
図２４は例示的な一実施例によって示されるデータ伝送装置２４００に係るブロック図である。例えば、データ伝送装置２４００は基地局であってもよい。図２４に示すように、データ伝送装置２４００は、プロセッサ２４０１、受信機２４０２、送信機２４０３、及びメモリ２４０４を含んでも良い。受信機２４０２、送信機２４０３、及びメモリ２４０４はそれぞれバスを介してプロセッサ２４０１に接続される。
【０１５９】
プロセッサ２４０１は１つ又は１つ以上の処理カネールを含み、プロセッサ２４０１はソフトウェアプログラム及びモジュールを実行することで、本開示の実施例によって提供されたデータ伝送方法のうち基地局によって実行された方法を実行する。メモリ２４０４はソフトウェアプログラム及びモジュールを記憶することに用いられる。具体的に、メモリ２４０４は操作システム２４０４１、少なくとも１つの機能に必要なアプリケーションモジュール２４０４２を記憶することができる。受信機２４０２は他のデバイスによって送信された通信データを受信することに用いられ、送信機２４０３は他のデバイスに通信データを送信することに用いられる。
【０１６０】
図２５は例示的な一実施例によって示されるデータ伝送システムに係るブロック図であり、図２５に示すように、当該データ伝送システムは送信側２５０１及び受信側２５０２を含む。
【０１６１】
送信側２５０１は図４乃至２０に示す実施例において送信側が実行したデータ伝送方法を実行することに用いられる。
【０１６２】
受信側２５０２は図４乃至２０に示す示実施例において受信側が実行したデータ伝送方法を実行することに用いられる。
【０１６３】
本開示の例示的な一実施例はコンピュータ読み取り可能な記憶媒体を提供し、前記記憶媒体には少なくとも１つの命令、少なくとも１つのプログラム、コードセット又は命令セットが記憶されており、前記少なくとも１つの命令、前記少なくとも１つのプログラム、前記コードセット又は命令セットは、上記のようなデータ伝送方法を実現するように、前記プロセッサによってロードされかつ実行される。
【０１６４】
当業者は明細書を考慮しかつここでの開示を実践した後、本開示の他の実施形態を容易に想到し得る。本出願は本開示のあらゆる変形、用途又は適応的な変化をカバーしようとしており、これらの変形、用途又は適応的な変化は本開示の一般原理に従うとともに、本開示で開示されていない、本技術分野での公知の常識又は慣用されている技術手段を含む。明細書と実施例は例示的なものだけとして見なされ、本開示の真の範囲と精神は以下の特許請求の範囲によって指摘される。
【０１６５】
なお、本開示は上記説明されていて図面に示された正確な構造に限定されず、その範囲から逸脱することなく様々な修正と変更を行うことができる。本開示の範囲は添付の特許請求の範囲のみによって制限される。
【図１】
2022500927.tif 000003
【図２】
2022500927.tif 000004
【図３】
2022500927.tif 000005
【図４】
2022500927.tif 000006
【図５】
2022500927.tif 000007
【図６】
2022500927.tif 000008
【図７】
2022500927.tif 000009
【図８】
2022500927.tif 000010
【図９】
2022500927.tif 000011
【図１０】
2022500927.tif 000012
【図１１】
2022500927.tif 000013
【図１２】
2022500927.tif 000014
【図１３】
2022500927.tif 000015
【図１４】
2022500927.tif 000016
【図１５】
2022500927.tif 000017
【図１６】
2022500927.tif 000018
【図１７】
2022500927.tif 000019
【図１８】
2022500927.tif 000020
【図１９】
2022500927.tif 000021
【図２０】
2022500927.tif 000022
【図２１】
2022500927.tif 000023
【図２２】
2022500927.tif 000024
【図２３】
2022500927.tif 000025
【図２４】
2022500927.tif 000026
【図２５】
2022500927.tif 000027
【国際調査報告】
2022500927.tif 000028
2022500927.tif 000029
2022500927.tif 000030
2022500927.tif 000031